(57)【要約】【課題】  放熱効果が大きい画像入出力装置を提供する。【解決手段】  本発明に係る画像入出力装置は、原稿を走査してディジタル画像を作成する画像読み取り手段と、印刷媒体に画像を印刷する印刷手段と、前記画像読み取り手段及び前記印刷手段を制御する制御回路と、前記印刷手段及び前記制御回路を収容するプリンタハウジングであって、上側に開口する第一の開口部を有するプリンタハウジングと、前記画像読み取り手段を収容するスキャナハウジングであって、前記第一の開口部を覆う姿勢と開放する姿勢とに揺動可能に前記プリンタハウジングに連結されるスキャナハウジングと、前記スキャナハウジングの縁部に設けられ、前記スキャナハウジングが前記第一の開口部を覆う姿勢のとき前記プリンタハウジング内の空間と前記プリンタハウジング外の空間とを前記第一の開口部を介して連通する連通路を形成する放熱部と、を備える。【選択図】  図１
2005109866.tif 000002
【特許請求の範囲】
【請求項１】
原稿を走査してディジタル画像を作成する画像読み取り手段と、
印刷媒体に画像を印刷する印刷手段と、
前記画像読み取り手段及び前記印刷手段を制御する制御回路と、
前記印刷手段及び前記制御回路を収容するプリンタハウジングであって、上側に開口する第一の開口部を有するプリンタハウジングと、
前記画像読み取り手段を収容するスキャナハウジングであって、前記第一の開口部を覆う姿勢と開放する姿勢とに揺動可能に前記プリンタハウジングに連結されるスキャナハウジングと、
前記スキャナハウジングの縁部に設けられ、前記スキャナハウジングが前記第一の開口部を覆う姿勢のとき前記プリンタハウジング内の空間と前記プリンタハウジング外の空間とを前記第一の開口部を介して連通する連通路を形成する放熱部と、
を備えることを特徴とする画像入出力装置。
【請求項２】
前記放熱部は前記スキャナハウジングが前記第一の開口部を覆う姿勢のとき前記制御回路の上方又はその近傍の上方となる縁部に設けられることを特徴とする請求項１に記載の画像入出力装置。
【請求項３】
前記放熱部は前記スキャナハウジングが前記第一の開口部を覆う姿勢のとき下側を向く面と前記スキャナハウジングの側端面とで形成される角部に設けられる凹部であることを特徴とする請求項１又は２に記載の画像入出力装置。
【請求項４】
前記放熱部は前記スキャナハウジングが前記第一の開口部を覆う姿勢のとき縁部に向かって上方に傾斜する斜面を有することを特徴とする請求項１、２又は３に記載の画像入出力装置。
【請求項５】
通風口を有し前記制御回路の上方を覆う上カバーを更に備えることを特徴とする請求項１〜４のいずれか一項に記載の画像入出力装置。
【請求項６】
前記プリンタハウジングは前記印刷手段で印刷する印刷媒体を供給するための又は前記印刷手段で印刷した印刷媒体を排出するための第二の開口部を有し、
前記制御回路は前記第二の開口部より上側で前記プリンタハウジングに収容されることを特徴とする請求項１〜５のいずれか一項に記載の画像入出力装置。
【請求項７】
通風口を有し前記制御回路の下方を覆う下カバーを更に備えることを特徴とする請求項６に記載の画像入出力装置。
【発明の詳細な説明】
【技術分野】
【０００１】
本発明は、画像入出力装置に関する。
【背景技術】
【０００２】
原稿を走査してディジタル画像を作成する画像読み取り手段と印刷媒体に画像を印刷する印刷手段とを備える画像入出力装置が知られている。こうした画像入出力装置の中には、画像読み取り手段及び印刷手段を制御する制御回路の発熱によって熱せられた空気を筐体外に逃がすために筐体の側壁にスリットを設け、熱せられた空気を横方向に逃がすものが知られている。
【発明の開示】
【発明が解決しようとする課題】
【０００３】
しかしながら、従来の画像入出力装置によると、熱せられた空気は上昇する性質があるため横方向には逃げ難く、そのため熱せられた空気が筐体内に滞留し易いという問題がある。従って従来の画像入出力装置は放熱効果が小さいという問題がある。
本発明は、かかる問題に鑑みて創作されたものであって、放熱効果が大きい画像入出力装置を提供することを目的とする。
【課題を解決するための手段】
【０００４】
上記目的を達成するため、本発明に係る画像入出力装置は、原稿を走査してディジタル画像を作成する画像読み取り手段と、印刷媒体に画像を印刷する印刷手段と、前記画像読み取り手段及び前記印刷手段を制御する制御回路と、前記印刷手段及び前記制御回路を収容するプリンタハウジングであって、上側に開口する第一の開口部を有するプリンタハウジングと、前記画像読み取り手段を収容するスキャナハウジングであって、前記第一の開口部を覆う姿勢と開放する姿勢とに揺動可能に前記プリンタハウジングに連結されるスキャナハウジングと、前記スキャナハウジングの縁部に設けられ、前記スキャナハウジングが前記第一の開口部を覆う姿勢のとき前記プリンタハウジング内の空間と前記プリンタハウジング外の空間とを前記第一の開口部を介して連通する連通路を形成する放熱部と、を備えることを特徴とする。この画像入出力装置によると、連通路は上側に開口する第一の開口部を介してプリンタハウジング内の空間と前記プリンタハウジング外の空間とを連通するため、制御回路によって熱せられた空気は第一の開口部からプリンタハウジング外に逃がされる。すなわち、熱せられた空気は前記プリンタハウジング内から上方向に逃がされる。熱せられた空気は上昇する性質があるため、熱せられた空気にとっては横方向に逃げるよりも上方向に逃げる方が逃げ易く、従って熱せられた空気がプリンタハウジング内に滞留し難くなる。よってこの画像入出力装置によると、放熱効果が大きくなる。
【０００５】
さらに本発明に係る画像入出力装置では、前記放熱部は前記スキャナハウジングが前記第一の開口部を覆う姿勢のとき前記制御回路の上方又はその近傍の上方となる縁部に設けられることを特徴とする。この画像入出力装置によると、制御回路によって熱せられた空気は上昇してそのまま連通路に進入できるのでより滞留し難くなり、放熱効果が更に大きくなる。
【０００６】
さらに本発明に係る画像入出力装置では、前記放熱部は前記スキャナハウジングが前記第一の開口部を覆う姿勢のとき下側を向く面と前記スキャナハウジングの側端面とで形成される角部に設けられる凹部であることを特徴とする。この画像入出力装置によると、放熱部が凹みとして形成されるため、連通路の出口の大きさを必要最小限にすることができ、連通路からプリンタユニット内に入り込む塵埃を低減できる。
【０００７】
さらに本発明に係る画像入出力装置では、前記放熱部は前記スキャナハウジングが前記第一の開口部を覆う姿勢のとき縁部に向かって上方に傾斜する斜面を有することを特徴とする。この画像入出力装置によると、熱せられた空気を円滑にプリンタハウジング外に導くことができる。
さらに本発明に係る画像入出力装置では、通風口を有し前記制御回路の上方を覆う上カバーを更に備えることを特徴とする。この画像入出力装置によると、ユーザが第一の開口部から手を入れた際に制御回路に触れて感電、火傷、制御回路の破損などの事故が起きることを防止できる。
【０００８】
さらに本発明に係る画像入出力装置では、前記プリンタハウジングは前記印刷手段で印刷する印刷媒体を供給するための又は前記印刷手段で印刷した印刷媒体を排出するための第二の開口部を有し、前記制御回路は前記第二の開口部より上側で前記プリンタハウジングに収容されることを特徴とする。制御回路を第二の開口部より上側に設けると、熱せられた空気が連通路から上方向に逃げたとき相対的に低温の空気が第二の開口部によって下から制御回路の周辺に供給され、制御回路の周辺の空気の循環がよくなる。従って制御回路の周辺に空気が滞留し難くなり放熱効果が更に大きくなる。
【０００９】
さらに本発明に係る画像入出力装置では、通風口を有し前記制御回路の下方を覆う下カバーを更に備えることを特徴とする。この画像入出力装置によると、ユーザが第二の開口部から手を入れた際に制御回路に触れて感電、火傷、制御回路の破損などの事故が起きることを防止できる。
【発明を実施するための最良の形態】
【００１０】
以下、本発明を実施するための最良の形態を実施例に基づいて説明する。
図２は、本発明の一実施例に係る画像入出力装置としての複合機１を示す模式図である。複合機１の筐体１２は画像読み取り手段としてのスキャナ部２を収容するスキャナハウジング１２ａと印刷手段としてのプリンタ部３を収容するプリンタハウジング１２ｂとで構成されており、スキャナハウジング１２ａはプリンタハウジング１２ｂに図示しないヒンジにより揺動自在に連結されている。
【００１１】
原稿カバー６０は、ヒンジ６２により原稿台６１の盤面を開放する姿勢から原稿台６１の盤面を覆う姿勢に揺動可能にスキャナハウジング１２ａに連結されている。原稿カバー６０は原稿台６１の盤面に載置された原稿Ｍを押さえるとともに、光源３３（図３参照）の放射光以外の光が原稿Ｍを照らすことがないよう原稿台６１を覆うものである。
【００１２】
給紙口１３は、プリンタハウジング１２ｂの側壁に設けられている。プリンタ部３が画像を印刷する紙等の印刷媒体は給紙口１３から供給される。
第二の開口部としての排紙口１４は、給紙口１３が設けられている側壁に対向する側壁に設けられている。プリンタ部３によって画像が印刷された印刷媒体は第二副走査駆動部５４（図４参照）によって搬送され排紙口１４からプリンタハウジング１２ｂ外へ排出される。
【００１３】
図３は複合機１の構成を示す模式図であり、図４は複合機１を示すブロック図である。
スキャナ部２は、リニアイメージセンサ３０、縮小光学系３２、第一主走査駆動部３６（図４参照）、第一副走査駆動部３７（図４参照）、ＡＦＥ（Analog Front End）部４１（図４参照）及びディジタル画像処理部４２（図４参照）などを備え、スキャナハウジング１２ａに収容されている。
【００１４】
リニアイメージセンサ３０は、ＲＧＢ各色の受光素子が図３において紙面垂直方向に直線状に並ぶ姿勢でキャリッジ３１に搭載されている。リニアイメージセンサ３０は、縮小光学系３２により入力される走査線上の光学像を走査し、その光学像の濃淡に相関する電気信号を出力する。
縮小光学系３２は、光源３３、ミラー３４及びレンズ３５などで構成され、キャリッジ３１に搭載されている。光源３３は蛍光管ランプ等の管照明装置から構成されており、ミラー３４及びレンズ３５は光源３３に照射された原稿Ｍの走査線上の反射光像をリニアイメージセンサ３０に結像させる。これにより原稿Ｍの主走査線上の光学像をリニアイメージセンサ３０に入力する。尚、光源の位置を変えることにより透過原稿を読み取るようにしてもよい。
【００１５】
第一主走査駆動部３６は、リニアイメージセンサ３０を駆動するために必要な駆動パルスをリニアイメージセンサ３０に出力する駆動回路である。第一主走査駆動部３６は、例えば同期信号発生器、駆動用タイミングジェネレータ等から構成される。
第一副走査駆動部３７は、走査線の長手方向軸に垂直に架設されキャリッジ３１を摺動可能に保持する摺動軸３８、キャリッジモータ３９、駆動ベルト４０、駆動回路などを備えている。キャリッジモータ３９がキャリッジ３１を駆動ベルト４０で牽引することでリニアイメージセンサ３０と原稿Ｍとが走査線に垂直な方向Ｗ（副走査方向）に相対移動するため、二次元画像の走査が可能となる。
【００１６】
ＡＦＥ部４１は、アナログ信号処理部、Ａ／Ｄ変換器等から構成される。アナログ信号処理部はリニアイメージセンサ３０から出力される電気信号に対して増幅、雑音低減処理等のアナログ信号処理を施して出力する。Ａ／Ｄ変換器はアナログ信号処理部から出力された電気信号を所定ビット長のディジタル表現の出力信号に量子化して出力する。
【００１７】
ディジタル画像処理部４２は、ＡＦＥ部４１から出力された出力信号に対し、ガンマ補正、画素補間法による欠陥画素の補間、シェーディング補正、画像信号の鮮鋭化等の処理を行ってディジタル画像を作成する。尚、ディジタル画像処理部４２で施す上記各種の処理は、制御部５６で実行するコンピュータプログラムによる処理に置き換えてもよい。
【００１８】
プリンタ部３は、記録ヘッド４３、ヘッド駆動部４８（図４参照）、第二主走査駆動部４９（図４参照）及び第二副走査駆動部５４（図４参照）などを備え、プリンタハウジング１２ｂに収容されている。
記録ヘッド４３はキャリッジ４４に設けられ、インクを吐出するノズル４５、ピエゾ素子４６、インク通路４７、図示しないインクカートリッジなどを備える。ピエゾ素子４６はインクを導くインク通路４７の側壁に接する位置に設けられ、駆動電圧が印加されると急速に伸長してインク通路４７の側壁を変形させる。インク通路４７の体積はピエゾ素子４６の伸張に応じて収縮し、その収縮分に相当するインクがノズル４５から高速に吐出される。これにより記録ヘッド４３は印刷媒体に画像を印刷する。
【００１９】
ヘッド駆動部４８は、制御部５６から出力された印刷信号に基づいて駆動電圧をピエゾ素子４６に印加する回路である。
第二主走査駆動部４９は、プラテン５０の軸と平行に架設されキャリッジ４４を摺動可能に保持する摺動軸５１、キャリッジモータ５２、駆動ベルト５３、駆動回路などを備える。キャリッジモータ５２がキャリッジ４４を駆動ベルト５３で牽引することで記録ヘッド４３が摺動軸５１（主走査方向軸）の軸方向（主走査方向Ｘ）に往復移動する。
【００２０】
第二副走査駆動部５４は、紙送りモータ５５、紙送りモータ５５の回転をプラテン５０と図示しない用紙搬送ローラとに伝達する歯車列、駆動回路などを備える。紙送りモータ５５がプラテン５０と図示しない用紙搬送ローラとを回転させることで、主走査方向軸に交差する図３において紙面に垂直な方向（副走査方向）に印刷用紙が移動する。
【００２１】
図４に示すカード読み書き部１６は、リムーバブルメモリ１８を挿入するためのカードスロット、メモリコントローラなどを備える。カード読み書き部１６は制御部５６によって制御され、スキャナ部２で作成したディジタル画像をリムーバブルメモリ１８に書き込む処理や、プリンタ部３で印刷するディジタル画像をリムーバブルメモリ１８から読み込む処理などを行う。
【００２２】
操作部１７は、図５に示すように読み取りボタン、コピーボタン、印刷ボタン、各種のメニューから項目を選択するための上ボタンや下ボタンなどの複数の押しボタン、各種のメニューを表示する表示装置、エラーを通知するＬＥＤなどを備える。ユーザはそれら各種のボタンを操作することによって複合機１に対して印刷や画像の読み取りなどの指示を入力することができる。
【００２３】
制御部５６は、ＣＰＵ５７、ＲＯＭ５８及びＲＡＭ５９を備えている。ＣＰＵ５７はＲＯＭ５８に記憶されたコンピュータプログラムを実行して複合機１の各部を制御する。ＲＯＭ５８は各種のプログラムやデータを記憶しているメモリであり、ＲＡＭ５９は各種のプログラムやデータを一時的に記憶するメモリである。これら各種のプログラムやデータは所定のサーバからネットワークを介してダウンロードして入力してもよいし、リムーバブルメモリ１８等のコンピュータ読み取り可能な記憶媒体から読み出して入力してもよい。
【００２４】
図５は、スキャナハウジング１２ａが第一の開口部７０を開放する姿勢にあるときの複合機１を示す斜視図である。
第一の開口部７０は、プリンタハウジング１２ｂの上側に開口するように設けられている。第一の開口部７０はインクカートリッジを交換するなどのようにプリンタ部３の保守を行うために設けられているものであり、ユーザは第一の開口部７０から手を入れて保守作業を行うことができる。本実施例の複合機１は保守作業を行うための開口部７０をプリンタハウジング１２ｂ内の熱気を逃がして放熱するための第一の開口部として流用する。
【００２５】
上カバー７１は、第一の開口部７０の下方に設けられている。プリンタハウジング１２ｂ内には後述する制御回路７３（図６参照）が第一の開口部７０の下方に設けられており、上カバー７１は制御回路７３の上方を覆っている。上カバー７１はユーザが制御回路７３に触れて感電、火傷、制御回路７３の破損などの事故が起きないようユーザと制御回路７３との接触を防止するものである。図示するように上カバー７１には制御回路７３によって熱せられた空気（熱気）を上に逃がすための複数の通風口７４が設けられている。
【００２６】
放熱部７５は、スキャナハウジング１２ａの縁部であってスキャナハウジング１２ａが第一の開口部７０を覆う姿勢のとき制御回路７３の上方となる縁部に設けられている。本実施例の場合、放熱部７５はスキャナハウジング１２ａが第一の開口部７０を覆う姿勢のとき下側を向く面７７とスキャナハウジング１２ａの側端面７８とで形成される角部に凹部として形成されている。放熱部７５はスキャナハウジング１２ａが第一の開口部７０を覆う姿勢のときプリンタハウジング１２ｂ内の空間とプリンタハウジング１２ｂ外の空間とを第一の開口部７０を介して連通する連通路７６（図１参照）を形成する。連通路７６については後述する。尚、放熱部７５を凹部として形成するのではなく、角部全体を面取りすることによって放熱部を形成してもよい。凹部として形成する場合は連通路７６の出口の大きさを必要最小限にすることができるため、連通路７６からプリンタハウジング１２ｂ内に入り込む塵埃を低減できる。一方、角部全体を面取りして形成する場合は連通路７６の進行方向に交差する方向の断面積が大きくなるためより効率よく放熱できる。また、放熱部７５はスキャナハウジング１２ａが第一の開口部７０を覆う姿勢のときスキャナハウジング１２ａの縁に向かって上方に傾斜する斜面７５ａを有している。具体的には、斜面７５ａは下側を向く面７７と側端面７８とで形成される角部を面取りすることによって形成されている。斜面７５ａを設けるとプリンタハウジング１２ｂ内からプリンタハウジング１２ｂ外へと流れる熱気の流れがより円滑になり放熱効果が向上する。
【００２７】
図６は、上カバー７１を取り外した状態の複合機１の斜視図である。
前述したように制御回路７３は第一の開口部７０の下方に設けられている。本実施例では制御回路７３は制御部５６が配置されて配線されているプリント基板７３ａ（図１参照）とそれを覆うカバー７３ｂとで構成されており、それらをまとめて制御回路７３というものとする。カバー７３ｂには熱せられた空気を逃がすための開口部７３ｃが設けられている。なお、カバー７３ｂは不要であれば備えなくてもよい。制御回路７３は各走査駆動部や図示しない電源部にそれぞれ所定の接続ケーブルで接続されている。また、本実施例の制御回路７３にはカード読み書き部１６が一体に設けられている。カード読み書き部１６を制御部５６に一体に設けるとカード読み書き部１６と制御部５６とを接続するケーブルの引き回しが不要になり、ケーブル間の電気的な相互作用によるノイズの発生を低減できる。カード読み書き部１６にはリムーバブルメモリ１８が脱着されるためカードスロットをプリンタハウジング１２ｂ外に露出させる必要があり、このため制御回路７３はプリンタハウジング１２ｂの側壁部の近傍に設けられている。
【００２８】
図１は、スキャナハウジング１２ａが第一の開口部７０を覆う姿勢のときの複合機１の断面図である。図示するように制御回路７３は排紙口１４より上側でプリンタハウジング１２ｂに収容されている。制御回路７３を排紙口１４より上側に設けると熱せられた空気が連通路７６から逃げたとき煙突効果によって相対的に低温の空気が排紙口１４から供給され、制御回路の周辺の空気の循環がよくなる。従って放熱効果が更に大きくなる。下カバー７９は、制御回路７３を下から覆うように設けられている。下カバー７９はユーザが排紙口１４から手を入れたとき制御回路７３に触れることを防止するために設けられるものである。下カバー７９にも上カバー７１と同様に複数の通風口８０が設けられている。
【００２９】
図１に示すようにスキャナハウジング１２ａが第一の開口部７０を覆う姿勢になると、放熱部７５によってプリンタハウジング１２ｂ内の空間とプリンタハウジング１２ｂ外の空間とを第一の開口部７０を介して連通する連通路７６が形成される。複合機１はプリンタハウジング１２ｂの上部に操作部１７を有しており、スキャナハウジング１２ａを図１に示す姿勢にするとスキャナハウジング１２ａの側端面７８の直ぐ前にプリンタハウジング１２ｂの側壁部８１が位置する。スキャナハウジング１２ａの側端面７８とプリンタハウジング１２ｂの側壁部８１とは接することはなく、その間には隙間８２が確保されている。従って本実施例の連通路７６は放熱部７５によって形成される空間と隙間８２とにより構成される。尚、スキャナハウジング１２ａの側端面７８の直ぐ前に操作部１７のような前方を塞ぐものがないのであれば連通路７６は放熱部７５のみで形成されることになる。図示するように放熱部７５は制御回路７３の上方となる縁部に設けられている。放熱部７５を制御回路７３の上方となる縁部に設けると制御回路７３によって熱せられた空気が上昇してそのまま連通路７６に進入するようになるのでプリンタハウジング１２ｂ内により滞留し難くなり、放熱効果が更に大きくなる。尚、プリンタハウジング１２ｂに収容される他の部品との関係によって制御回路７３を側壁部の近傍に配置できず、放熱部７５を制御回路７３の上方に位置させることができない場合は、放熱部７５を制御回路７３の近傍の上方となる縁部に設けて制御回路７３と放熱部７５との位置が大きくずれないようにすることが望ましい。
【００３０】
次に、複合機１の作動について図１に基づいて説明する。画像の読み取りや印刷を行うと制御回路７３はＣＰＵなどによって発熱し、周囲の空気を熱する。周囲の空気は熱せられることによって上昇し、第一の開口部７０から連通路７６に進入し、隙間８２を通ってプリンタハウジング１２ｂ外に逃げる。これによりプリンタハウジング１２ｂ内の熱気が逃がされる。熱気が逃がされると煙突効果によって排紙口１４から相対的に低温の空気がプリンタハウジング１２ｂ内に供給される。すなわち連通路７６はプリンタハウジング１２ｂ内の熱気を逃がす煙突として機能し、その煙突効果によってプリンタハウジング１２ｂ内が換気される。この結果、プリンタハウジング１２ｂ内の温度上昇が抑制される。
【００３１】
以上説明した本発明の一実施例に係る複合機１によると、連通路７６は上側に開口する第一の開口部７０を介してプリンタハウジング１２ｂ内の空間とプリンタハウジング１２ｂ外の空間とを連通するため、制御回路７３によって熱せられた空気は第一の開口部７０からプリンタハウジング１２ｂ外に逃がされる。すなわち、熱せられた空気はプリンタハウジング１２ｂ内から上方向に逃がされる。熱せられた空気は上昇する性質があるため、熱せられた空気にとっては横方向に逃げるよりも上方向に逃げる方が逃げ易く、従って熱せられた空気がプリンタハウジング１２ｂ内に滞留し難くなる。よって複合機１によると、放熱効果が大きくなる。
【００３２】
尚、本実施例では第二の開口部として排紙口１４を例に説明したが、第二の開口部は給紙口１３であってもよい。具体的には例えば、給紙口１３が形成されている側壁部の近傍で給紙口１３より上側に制御回路７３を収容し、放熱部をスキャナハウジング１２ａの揺動軸線側の縁部に設けるようにしてもよい。
【図面の簡単な説明】
【００３３】
【図１】本発明の一実施例に係る画像入出力装置の断面図。
【図２】本発明の一実施例に係る画像入出力装置の模式図。
【図３】本発明の一実施例に係る画像入出力装置の模式図。
【図４】本発明の一実施例に係る画像入出力装置のブロック図。
【図５】本発明の一実施例に係る画像入出力装置の斜視図。
【図６】本発明の一実施例に係る画像入出力装置の斜視図。
【符号の説明】
【００３４】
１  複合機（画像入出力装置）、２  スキャナ部（画像読み取り手段）、３  プリンタ部（印刷手段）、１２ａ  スキャナハウジング、１２ｂ  プリンタハウジング、１４  排紙口（第二の開口部）、５６  制御部（画像読み取り手段、印刷手段）、７０  第一の開口部、７１  上カバー、７３  制御回路、７４  通風口、７５  放熱部、７５ａ  斜面、７６  連通路、７９  下カバー、８０  通風口
【図１】
2005109866.tif 000003
【図２】
2005109866.tif 000004
【図３】
2005109866.tif 000005
【図４】
2005109866.tif 000006
【図５】
2005109866.tif 000007
【図６】
2005109866.tif 000008